(57)【要約】【目的】識別タグである無線ＩＣチップが逃走過程において廃棄される恐れがなく、盗難品である物品の状況に関わらず、侵入者を最後まで識別追跡して特定することが可能な侵入者識別追跡方法及び装置を提供する。【構成】侵入者に無線ＩＣチップを付着させることによって、侵入者を識別追跡する侵入者識別追跡方法において、侵入者に無線ＩＣチップを付着させる際に侵入者の注意を逸らす手段を設けたこと、及び、侵入者に無線ＩＣチップを付着させる装置、侵入者に付着した無線ＩＣチップを識別追跡する装置を有してなる侵入者識別追跡装置において、侵入者の注意を逸らす装置を設けたこと、を特徴とする。【選択図】        図１
2010140512.tif 000002
【特許請求の範囲】
【請求項１】
侵入者に無線ＩＣチップを付着させることによって、侵入者を識別追跡する侵入者識別追跡方法において、侵入者に無線ＩＣチップを付着させる際に侵入者の注意を逸らす手段を設けたことを特徴とする侵入者識別追跡方法。
【請求項２】
侵入者に無線ＩＣチップを付着させることによって、侵入者を識別追跡する侵入者識別追跡方法において、侵入者の注意を逸らす手段が、下記（１）〜（４）の少なくとも１つであることを特徴とする請求項１に記載の侵入者識別追跡方法。
（１）侵入経路に発光装置を配設し、侵入者に無線ＩＣチップを付着させる際に発光する手段
（２）侵入経路にスモッグ発生装置を配設し、侵入者に無線ＩＣチップを付着させる際にスモッグを発生させる手段
（３）侵入経路に音響発生装置を配設し、侵入者に無線ＩＣチップを付着させる際に音響を発生させる手段
（４）侵入経路に空気圧発生装置を配設し、侵入者に無線ＩＣチップを付着させる際に空気圧による空気砲を発射させる手段
【請求項３】
侵入者に無線ＩＣチップを付着させる装置、侵入者に付着した無線ＩＣチップを識別追跡する装置を有してなる侵入者識別追跡装置において、侵入者の注意を逸らす装置を設けたことを特徴とする侵入者識別追跡装置。
【請求項４】
侵入者に無線ＩＣチップを付着させる装置、侵入者に付着した無線ＩＣチップを識別追跡する装置を有してなる侵入者識別追跡装置において、侵入者の注意を逸らす装置が、下記（１）〜（４）の少なくとも１つであることを特徴とする請求項３に記載の侵入者識別追跡装置。
（１）侵入経路に配設されており、侵入者に無線ＩＣチップを付着させる際に発光する発光装置
（２）侵入経路に配設されており、侵入者に無線ＩＣチップを付着させる際にスモッグを発生させるスモッグ発生装置
（３）侵入経路に配設されており、侵入者に無線ＩＣチップを付着させる際に音響を発生させる音響発生装置
（４）侵入経路に配設されており、侵入者に無線ＩＣチップを付着させる際に空気圧による空気砲を発射させる空気圧発生装置
【発明の詳細な説明】
【技術分野】
【０００１】
本発明は侵入者識別追跡方法及び装置に関し、詳しくは無線ＩＣチップを利用した侵入者識別追跡方法及び装置に関する。
【背景技術】
【０００２】
泥棒等の侵入者を識別追跡するために、防犯カラーボール等の識別タグを侵入者に当ててペイントマークを付着させることで逃走する侵入者の目印とする技術が知られている（例えば、特許文献１〜４等参照）。
【０００３】
また、侵入者ではなく商品等の物品に無線ＩＣチップ等の識別タグを付与して、盗難品を検知・識別して追跡する技術も知られている（特許文献５及び６等参照）。
【先行技術文献】
【特許文献】
【０００４】
【特許文献１】特開２００３−１４８８９５号公報
【特許文献２】特開２００２−５６４７２号公報
【特許文献３】特開２００１−１０１５３６号公報
【特許文献４】特開平６−１７６２７７号公報
【特許文献５】特開２００２−２０４７１９号公報
【特許文献６】特開平９−２９４６３２号公報
【発明の概要】
【発明が解決しようとする課題】
【０００５】
しかし、特許文献１〜４のいずれの技術も、防犯カラーボールによるペイントマークの付着が目立つために、侵入者は逃走過程において目印であるペイントマークの付着した衣服等を破棄することが多く、その場合には追跡不能となり侵入者を特定することができなくなるという課題を有している。
【０００６】
また、防犯カラーボールを人手によって侵入者に当てる場合、侵入者に確実に当てて目印であるペイントマークを付着させることはかなり困難である。更に、夜間等の無人の際の侵入には当然のことながら対処することができないという問題を有している。
【０００７】
また、特許文献５及び６の技術についても、識別タグの付与された物品である盗難品が転売・処分されたり、識別タグが盗難品の内容物に直接付与されていない場合等に包装体等が破棄されたりすると追跡不能となり、侵入者を特定することができなくなるという課題を有している。
【０００８】
物品が店舗や倉庫内の商品のように大量である場合、盗難品目を予想することは困難であるため全ての物品に識別タグを付与しておく必要があり、煩雑且つ労力がかかってしまうという問題を有している。
【０００９】
そこで本発明の課題は、識別タグである無線ＩＣチップが逃走過程において廃棄される恐れがなく、盗難品である物品の状況に関わらず、侵入者を最後まで識別追跡して特定することが可能な侵入者識別追跡方法及び装置を提供することにある。
【課題を解決するための手段】
【００１０】
上記本発明の課題は下記構成によって達成される。
【００１１】
１．侵入者に無線ＩＣチップを付着させることによって、侵入者を識別追跡する侵入者識別追跡方法において、侵入者に無線ＩＣチップを付着させる際に侵入者の注意を逸らす手段を設けたことを特徴とする侵入者識別追跡方法。
【００１２】
２．侵入者に無線ＩＣチップを付着させることによって、侵入者を識別追跡する侵入者識別追跡方法において、侵入者の注意を逸らす手段が、下記（１）〜（４）の少なくとも１つであることを特徴とする前記１に記載の侵入者識別追跡方法。
（１）侵入経路に発光装置を配設し、侵入者に無線ＩＣチップを付着させる際に発光する手段
（２）侵入経路にスモッグ発生装置を配設し、侵入者に無線ＩＣチップを付着させる際にスモッグを発生させる手段
（３）侵入経路に音響発生装置を配設し、侵入者に無線ＩＣチップを付着させる際に音響を発生させる手段
（４）侵入経路に空気圧発生装置を配設し、侵入者に無線ＩＣチップを付着させる際に空気圧による空気砲を発射させる手段
【００１３】
３．侵入者に無線ＩＣチップを付着させる装置、侵入者に付着した無線ＩＣチップを識別追跡する装置を有してなる侵入者識別追跡装置において、侵入者の注意を逸らす装置を設けたことを特徴とする侵入者識別追跡装置。
【００１４】
４．侵入者に無線ＩＣチップを付着させる装置、侵入者に付着した無線ＩＣチップを識別追跡する装置を有してなる侵入者識別追跡装置において、侵入者の注意を逸らす装置が、下記（１）〜（４）の少なくとも１つであることを特徴とする前記３に記載の侵入者識別追跡装置。
（１）侵入経路に配設されており、侵入者に無線ＩＣチップを付着させる際に発光する発光装置
（２）侵入経路に配設されており、侵入者に無線ＩＣチップを付着させる際にスモッグを発生させるスモッグ発生装置
（３）侵入経路に配設されており、侵入者に無線ＩＣチップを付着させる際に音響を発生させる音響発生装置
（４）侵入経路に配設されており、侵入者に無線ＩＣチップを付着させる際に空気圧による空気砲を発射させる空気圧発生装置
【００１５】
また、上記本発明の好ましい実施態様は下記構成の通りである。
【００１６】
５．侵入者に無線ＩＣチップを付着させる前段階である侵入開始時に、センサーの如き検知手段により検知し、警告を発して威嚇することで撃退を試みることを特徴とする前記１又は２に記載の侵入者識別追跡方法。
【００１７】
６．前記威嚇手段が、下記（１）〜（３）の少なくとも１つであることを特徴とする前記５に記載の侵入者識別追跡方法。
（１）音声によって話しかける手段
（２）警報音・信号音のごとき警告音を発する手段
（３）侵入者を撮影する手段
【００１８】
７．侵入時刻、侵入者の画像等の侵入者情報を、検知手段の設置者、被侵入領域（建物）の所有者・管理者、住人、警備会社の少なくともいずれか一箇所に連絡することを特徴とする前記１、２、５、６のいずれかに記載の侵入者識別追跡方法。
【００１９】
８．侵入者情報が、携帯電話及び／又はパソコンに連絡されることを特徴とする前記７に記載の侵入者識別追跡方法。
【００２０】
９．侵入検知が、誤作動、又は侵入者が身内の如き侵入許可者であった際に、侵入者識別追跡方法のシステムを解除することを特徴とする前記７又は８に記載の侵入者識別追跡方法。
【００２１】
１０．侵入検知が、侵入を許可していない者であった際に、警察に通報することを特徴とする前記７又は８に記載の侵入者識別追跡方法。
【００２２】
１１．無線ＩＣチップに侵入領域（建物）等の登録情報が書き込み可能又は書き込み済みであることを特徴とする前記１、２、５〜１０のいずれかに記載の侵入者識別追跡方法。
【００２３】
１２．無線ＩＣチップを付着させる前に、該無線ＩＣチップに侵入領域（建物）情報及び／又は侵入時間情報が書き込み可能であることを特徴とする前記１、２、５〜１１のいずれかに記載の侵入者識別追跡方法。
【００２４】
１３．侵入者の画像を撮影することを特徴とする前記１、２、５〜１２のいずれかに記載の侵入者識別追跡方法。
【００２５】
１４．侵入者に付着した無線ＩＣチップを検知・識別・追跡する手段を公衆が出入りする場所又は立ち寄る場所に設けたことを特徴とする前記１、２、５〜１３のいずれかに記載の侵入者識別追跡方法。
【００２６】
１５．前記公衆が出入りする場所又は立ち寄る場所が、下記（１）〜（１４）の少なくとも１つであることを特徴とする前記１４に記載の侵入者識別追跡方法。
（１）鉄道ターミナル内（駅の改札、ホーム等）及び／又は鉄道車両内
（２）バスターミナル内（停留所等）及び／又はバス車両内
（３）タクシーターミナル（タクシー乗り場等）及び／又はタクシー車両内
（４）金融機関内（銀行ＡＴＭ、郵便局ＡＴＭ等）
（５）コンビニエンスストア内（出入り口等）
（６）ファーストフード等の飲食店（出入り口等）
（７）宝くじ売り場
（８）金券ショップ
（９）電話ボックス
（１０）公衆トイレ
（１１）証明写真ボックス
（１２）自動販売機
（１３）信号機付き横断歩道
（１４）有料道路の料金所
【００２７】
１６．侵入領域（建物）での侵入者情報（付着した無線ＩＣチップ情報、侵入者画像）を、無線ＩＣチップを検知・識別・追跡する手段に送ることを特徴とする前記１４又は１５に記載の侵入者識別追跡方法。
【００２８】
１７．公衆が出入りする場所又は立ち寄る場所に設けられた検知・識別・追跡する手段によって無線ＩＣチップを検知した際、該無線ＩＣチップの付着した侵入者の画像を撮影することを特徴とする前記１４〜１６のいずれかに記載の侵入者識別追跡方法。
【００２９】
１８．侵入領域（建物）から送られた情報と、公衆が出入りする場所又は立ち寄る場所で検知した侵入者情報（検知した無線ＩＣチップ情報、撮影した侵入者画像）とを照合することを特徴とする前記１４〜１７のいずれかに記載の侵入者識別追跡方法。
【００３０】
１９．無線ＩＣチップの付着手段とは別に、防犯用カラーボールの如き目視可能な識別タグを侵入者に付着させる囮付着手段を併用することを特徴とする前記１、２、５〜１８のいずれかに記載の侵入者識別追跡方法。
【００３１】
２０．無線ＩＣチップが、粉体、液体、粘着材（剤）の少なくとも１つと混合して用いられることを特徴とする前記１、２、５〜１９のいずれかに記載の侵入者識別追跡方法。
【００３２】
２１．無線ＩＣチップがカモフラージュされたものであることを特徴とする前記１、２、５〜２０のいずれかに記載の侵入者識別追跡方法。
【００３３】
２２．無線ＩＣチップをカモフラージュする手段が、下記（１）〜（３）の少なくとも１つであることを特徴とする前記２１に記載の侵入者識別追跡方法。
（１）無線ＩＣチップの周囲に砂・土状のものを付着させて砂・土・泥等にカモフラージュする手段
（２）植毛して種子等にカモフラージュする手段
（３）繊維を付着させて繊維・布等にカモフラージュする手段
【００３４】
２３．侵入者に付着しなかった無線ＩＣチップの情報を消去可能であることを特徴とする前記１、２、５〜２２のいずれかに記載の侵入者識別追跡方法。
【００３５】
２４．侵入者確保後に無線ＩＣチップの情報を消去可能であることを特徴とする前記１、２、５〜２３のいずれかに記載の侵入者識別追跡方法。
【００３６】
２５．侵入者の侵入開始を検知するセンサーの如き検知装置、該検知装置の検知に基づいて侵入を開始した侵入者に警告を発して威嚇して撃退を試みる威嚇装置を有してなることを特徴とする前記３又は４に記載の侵入者識別追跡装置。
【００３７】
２６．前記威嚇装置の威嚇手段が、下記（１）〜（３）の少なくとも１つであることを特徴とする前記２５に記載の侵入者識別追跡装置。
（１）音声によって話しかける手段
（２）警報音・信号音のごとき警告音を発する手段
（３）侵入者を撮影する手段
【００３８】
２７．侵入時刻、侵入者の画像等の侵入者情報を、検知装置の設置者、被侵入領域（建物）の所有者・管理者、住人、警備会社の少なくともいずれか一箇所に連絡する構成であることを特徴とする前記３、４、２５、２６のいずれかに記載の侵入者識別追跡装置。
【００３９】
２８．侵入者情報が、携帯電話及び／又はパソコンに連絡される構成であることを特徴とする前記２７に記載の侵入者識別追跡装置。
【００４０】
２９．侵入装置による検知が誤作動、又は侵入者が身内の如き侵入許可者であった際に、侵入者識別追跡装置のシステムを解除することを特徴とする前記２７又は２８に記載の侵入者識別追跡装置。
【００４１】
３０．侵入装置による検知が、侵入を許可していない者であった際に、警察に通報することを特徴とする前記２７又は２８に記載の侵入者識別追跡装置。
【００４２】
３１．無線ＩＣチップが、侵入領域（建物）等の登録情報が書き込み可能又は書き込み済みのものであることを特徴とする前記３、４、２５〜３０のいずれかに記載の侵入者識別追跡装置。
【００４３】
３２．無線ＩＣチップが、侵入者に付着させる前に侵入領域（建物）情報及び／又は侵入時間情報が書き込み可能のものであることを特徴とする前記３、４、２５〜３１のいずれかに記載の侵入者識別追跡装置。
【００４４】
３３．侵入者の画像を撮影する撮影装置を有することを特徴とする前記３、４、２５〜３２のいずれかに記載の侵入者識別追跡装置。
【００４５】
３４．侵入者に付着した無線ＩＣチップを検知・識別・追跡する装置を設けたことを特徴とする前記３、４、２５〜３３のいずれかに記載の侵入者識別追跡装置。
【００４６】
３５．侵入者に付着した無線ＩＣチップを検知・識別・追跡する装置の配設位置が、下記（１）〜（１４）の少なくとも１つであることを特徴とする前記３４に記載の侵入者識別追跡装置。
（１）鉄道ターミナル内（駅の改札、ホーム等）及び／又は鉄道車両内
（２）バスターミナル内（停留所等）及び／又はバス車両内
（３）タクシーターミナル（タクシー乗り場等）及び／又はタクシー車両内
（４）金融機関内（銀行ＡＴＭ、郵便局ＡＴＭ等）
（５）コンビニエンスストア内（出入り口等）
（６）ファーストフード等の飲食店（出入り口等）
（７）宝くじ売り場
（８）金券ショップ
（９）電話ボックス
（１０）公衆トイレ
（１１）証明写真ボックス
（１２）自動販売機
（１３）信号機付き横断歩道
（１４）有料道路の料金所
【００４７】
３６．侵入領域（建物）での侵入者情報（付着した無線ＩＣチップ情報、侵入者画像）を、無線ＩＣチップを検知・識別・追跡する手段に送ることを特徴とする前記３４又は３５に記載の侵入者識別追跡装置。
【００４８】
３７．公衆が出入りする場所又は立ち寄る場所に設けられた検知・識別・追跡する手段によって無線ＩＣチップを検知した際、該無線ＩＣチップの付着した侵入者の画像を撮影することを特徴とする前記３４〜３６のいずれかに記載の侵入者識別追跡装置。
【００４９】
３８．侵入領域（建物）から送られた情報と、公衆が出入りする場所又は立ち寄る場所で検知した侵入者情報（検知した無線ＩＣチップ情報、撮影した侵入者画像）とを照合することを特徴とする前記３４〜３７のいずれかに記載の侵入者識別追跡装置。
【００５０】
３９．防犯用カラーボールの如き目視可能な識別タグを侵入者に付着させる囮付着装置を併用することを特徴とする前記３、４、２５〜３８のいずれかに記載の侵入者識別追跡装置。
【００５１】
４０．無線ＩＣチップが、粉体、液体、粘着材（剤）の少なくとも１つと混合されたものであることを特徴とする前記３、４、２５〜３９のいずれかに記載の侵入者識別追跡装置。
【００５２】
４１．無線ＩＣチップがカモフラージュされたものであることを特徴とする前記３、４、２５〜４０のいずれかに記載の侵入者識別追跡装置。
【００５３】
４２．カモフラージュされた無線ＩＣチップが、下記（１）〜（３）の少なくとも１つであることを特徴とする前記４１に記載の侵入者識別追跡装置。
（１）周囲に砂・土状のものを付着させて砂・土・泥等にカモフラージュされた無線ＩＣチップ
（２）植毛して種子等にカモフラージュされた無線ＩＣチップ
（３）繊維を付着させて繊維・布等にカモフラージュされた無線ＩＣチップ
【００５４】
４３．侵入者に付着しなかった無線ＩＣチップの情報を消去する装置を有することを特徴とする前記３、４、２５〜４２のいずれかに記載の侵入者識別追跡装置。
【００５５】
４４．侵入者確保後に無線ＩＣチップの情報を消去可能であることを特徴とする前記３、４、２５〜４３のいずれかに記載の侵入者識別追跡装置。
【００５６】
更に、上記本発明の参考例については下記構成の通りである。
【００５７】
ａ．侵入者に無線ＩＣチップを付着させることによって、侵入者を識別追跡する侵入者識別追跡方法において、
侵入者に無線ＩＣチップを付着させる手段が、下記（１）〜（３）の少なくとも１つであることを特徴とする侵入者識別追跡方法。
（１）侵入者の侵入経路の頭上に配設した無線ＩＣチップ発射装置から侵入者に向けて無線ＩＣチップを発射ないしは落下させて付着させる手段
（２）侵入者の侵入経路の足元に配設した無線ＩＣチップ発射装置から侵入者に向けて無線ＩＣチップを下方から発射、或いは無線ＩＣチップを踏ませて付着させる手段
（３）侵入者の侵入経路の側方に配設した無線ＩＣチップ発射装置から侵入者に向けて無線ＩＣチップを側方から発射して付着させる手段
【００５８】
ｂ．侵入者に無線ＩＣチップを付着させる装置、侵入者に付着した無線ＩＣチップを識別追跡する装置を有してなる侵入者識別追跡装置において、
侵入者に無線ＩＣチップを付着させる装置が、下記（１）〜（３）の少なくとも１つであることを特徴とする侵入者識別追跡装置。
（１）侵入者の侵入経路の頭上に配設されており、侵入者に向けて無線ＩＣチップを発射ないしは落下させて付着させる装置
（２）侵入者の侵入経路の足元に配設されており、侵入者に向けて無線ＩＣチップを下方から発射、或いは無線ＩＣチップを踏ませて付着させる装置
（３）侵入者の侵入経路の側方に配設されており、侵入者に向けて無線ＩＣチップを側方から発射して付着させる装置
【発明の効果】
【００５９】
本発明によれば、識別タグである無線ＩＣチップが逃走過程において廃棄される恐れがなく、盗難品である物品の状況に関わらず、侵入者を最後まで識別追跡して特定することが可能な侵入者識別追跡方法及び装置を提供することができる。
【００６０】
本発明は、識別タグである無線ＩＣチップを物品である盗難品に付与するのではなく侵入者に付着させるので、物品の状況に関わらず、即ち、盗難品が転売・処分されたり、識別タグの付与された包装体等が破棄されたとしても、侵入者を識別して追跡することができる。また、予め物品の全てに識別タグを付与しなければならない態様に比して、識別タグ付与の手間が著しく軽減される。
【００６１】
しかも、従来の防犯カラーボールによるペイントマークの付着とは異なり、侵入者に気付かれる恐れがなく無線ＩＣチップを付着するので、逃走過程において目印となる無線ＩＣチップを破棄することが不可能である。従って、侵入者を特定するまで識別追跡が可能である。
【図面の簡単な説明】
【００６２】
【図１】本発明に係る侵入者識別追跡方法及び装置の一実施例を示すフロー図
【図２】本発明に係る侵入者識別追跡方法及び装置の一実施例を示す概略説明図
【図３】本発明に好ましく用いられるカモフラージュされた無線ＩＣチップの実施例を示す拡大概略図
【図４】侵入者の靴底に無線ＩＣチップを付着させる場合の説明図
【発明を実施するための形態】
【００６３】
以下、本発明を実施するための最良の形態の一例について図面に基づき説明する。
図１は本発明に係る侵入者識別追跡方法及び装置の一実施例を示すフロー図、図２は本発明に係る侵入者識別追跡方法及び装置の一実施例を示す概略説明図、図３は本発明に好ましく用いられるカモフラージュされた無線ＩＣチップの実施例を示す拡大外略図、図４は侵入者の靴底に無線ＩＣチップを付着させる場合の説明図である。
【００６４】
本発明に係る侵入者識別追跡方法及び装置は、泥棒の如き侵入者に無線ＩＣチップを付着させ、付着した無線ＩＣチップを識別検知することによって、侵入者を追跡して確保するものである。
【００６５】
以下、図１のフロー図に基づき、侵入者による侵入から侵入者確保までを説明する。
【００６６】
先ず、侵入者の侵入開始について、赤外線センサー、光センサー、感圧センサー、音響センサー（ピッキング音やガラス破損音等を検知）等のセンサーの如き検知手段により検知すると、制御部の指示によって、侵入の検知を侵入者に対して知らせることで警告を発して侵入を諦めさせたり、威嚇して撃退するなどの試みが行われる。
【００６７】
前記威嚇手段としては、下記（１）〜（３）の少なくとも１つであることが好ましい。
（１）音声によって話しかける手段
（２）警報音・信号音のごとき警告音を発する手段
（３）侵入者を撮影する手段
【００６８】
侵入開始した侵入者が上記威嚇によっても侵入を止めずに継続し、実際に侵入されたことを検知すると、次段階として、侵入者への無線ＩＣチップの付着が制御部の指示によって行われる。
【００６９】
侵入した侵入者については、画像を撮影することが好ましく、該侵入者の画像を、侵入時刻等を含めた侵入者情報として、検知手段の設置者、被侵入領域（建物）の所有者・管理者、住人、警備会社の少なくともいずれか一箇所に連絡する。侵入者情報の連絡は、携帯電話やパソコンに連絡されることが好ましい。
【００７０】
尚、侵入者情報に基づき侵入者を確認した際に、実際には侵入者が居なかったり或いは犬猫の侵入であったり、更には侵入検知の誤作動であったり等の場合、又は、侵入者が身内の如き侵入を許可された者であった際には、侵入者識別追跡方法のシステムは解除されることになる。
【００７１】
上記解除条件を満足しない場合、設置者、被侵入領域（建物）の所有者・管理者、住人、警備会社の少なくともいずれかが、警察に連絡（通報）する。
【００７２】
侵入者に付着させるための無線ＩＣチップには、侵入領域（建物）等の登録情報が書き込み可能又は書き込み済みであったり、或いは、無線ＩＣチップを付着させる前に、該無線ＩＣチップに侵入領域（建物）情報及び／又は侵入時間情報が書き込み可能であることが好ましい。尚、無線ＩＣチップに書き込まれる情報としては、侵入領域（建物）自体についての個々の具体的な情報は書き込まずに、当該具体的情報を管理するデータベースと照合することで各情報を得られるような登録Ｎｏ程度の符号に留めておくことで情報の漏洩防止に充分留意するものとする。
【００７３】
上記のような無線ＩＣチップを侵入者に付着させるには、例えば、下記（１）〜（３）の少なくとも１つであることが好ましい。
（１）侵入者の侵入経路の頭上に配設した無線ＩＣチップ発射装置から侵入者に向けて無線ＩＣチップを発射ないしは落下させて付着させる手段（図２の符号１１）
（２）侵入者の侵入経路の足元に配設した無線ＩＣチップ発射装置から侵入者に向けて無線ＩＣチップを下方から発射して付着させる手段（図２の符号１２）、或いは無線ＩＣチップを踏ませて付着させる手段
（３）侵入者の侵入経路の側方に配設した無線ＩＣチップ発射装置から侵入者に向けて無線ＩＣチップを側方から発射して付着させる手段（図２の符号１３）
【００７４】
図２に示すように、侵入者が不法に侵入してきた場合、侵入者に向けて無線ＩＣチップを発射して侵入者に気付かれることなく付着させる。
【００７５】
無線ＩＣチップの付着方法としては、（１）の上方からの場合は、空気圧による発射や自然落下、上記（２）の足元からの場合は、空気圧による発射、或いは無線ＩＣチップをばら撒く等して踏ませる、上記（３）の側方からの場合は、空気圧による発射が好ましい。
【００７６】
侵入者の検知は、セキュリティー技術に用いられる公知公用のセンサー感知技術等を採用し、侵入者を検知した際に無線ＩＣチップを発射などして侵入者に付着させる。
【００７７】
上記（３）の足元からの場合、無線ＩＣチップを付着させる装置を、玄関マット等のマット類あるいはカーペット内に収容し、侵入者がマット類あるいはカーペットを踏んだ際に、図２の拡大部分に示すように、圧力センサー１５等による感知によって無線ＩＣチップを発射ノズル１４から発射させる構成とすることも好ましい。
【００７８】
発射された無線ＩＣチップは侵入者のズボンの裾や靴下・ストッキングの他、靴・靴の土踏まず部分等に付着することとなるが、図４に示すように、靴底の接地部分２・３を圧力センサー１５等で感知することで土踏まず部分３を認識し、該土踏まず部分４に向けて無線ＩＣチップ１を発射して付着させる構成とすることも好ましい。
【００７９】
無線ＩＣチップを侵入者に付着させるには、無線ＩＣチップを、粉体、液体、粘着材剤の少なくとも１つと混合して用いられることが好ましい。
【００８０】
以下、本発明に好ましく用いられる無線ＩＣチップについて説明する。尚、「無線ＩＣチップ」という呼び方の他、「無線チップ」、「非接触ＩＣチップ」、「ＩＣタグ」、「無線タグ」、「ＲＦＩＤタグ」、「非接触ＩＣカード」など様々な呼び方がある。本発明はいずれのものであってもよい。
【００８１】
本発明では、片面電極に限らず両面電極の構造を有するものであってもよく、具体的には、ＩＣを搭載した日立社製「ミューチップ」、凸版印刷社製「Ｔ−ジャンクション」、ＹＲＰ・ユビキタスネットワークワーキング研究所と東大阪村研究室及びルネサンステクノロジが共同開発した「ｅトロン／１６−ＡＥ４５Ｘ」等が挙げられる。
【００８２】
例えば、上記「ミューチップ」は０．４ミリ角の大きさのＲＯＭチップで、このサイズに１．４５ＧＨｚの高周波アナログ回路と１２８ビットのＲＯＭを集積しており、厚さは０．０６ミリしかないものである。
【００８３】
このミューチップは、より小さくすることを追求したため機能面では限定され、一般の無線ＩＣチップが書換可能なＲＡＭ方式であるのに対し、読み出し専用のＲＯＭ方式である。本発明では、ＲＯＭ方式、ＲＡＭ方式のいずれも採用することができる。
【００８４】
本発明は、侵入者に気付かれることなく無線ＩＣチップを付着させるために、侵入者の注意を逸らす手段を設けることを特徴とする。
【００８５】
侵入者の注意を逸らす手段としては、下記（１）〜（４）の少なくとも１つであることが好ましい。
（１）侵入経路に発光装置を配設し、侵入者に無線ＩＣチップを付着させる際に発光させる手段
（２）侵入経路にスモッグ発生装置を配設し、侵入者に無線ＩＣチップを付着させる際にスモッグを発生させる手段
（３）侵入経路に音響発生装置を配設し、侵入者に無線ＩＣチップを付着させる際に音響を発生させる手段
（４）侵入経路に空気圧発生装置を配設し、侵入者に無線ＩＣチップを付着させる際に空気圧による空気砲を発生させる手段
【００８６】
上記発光装置、スモッグ発生装置、音響発生装置及び空気圧発生装置は、公知のものを特別の制限なく採用できる。
【００８７】
また、従来の防犯用カラーボールの如き目視可能な識別タグを侵入者に付着させる囮付着手段を併用することで、真の識別タグである無線ＩＣチップの付着を気付かせなくする構成も好ましい。
【００８８】
囮付着手段を併用することにより、侵入者は衣類等に付着したペイントマークを拭き取ったり、当該衣類を破棄することによって安心し、追跡から免れたと気を緩めることとなる。
【００８９】
また、ペイントマークとして拭けば直ぐに落ちるインク等を採用し、侵入者にペイントマークの付着した衣類を破棄させることなく、拭くことによって当該衣類に付着した無線ＩＣチップをより強固に付着させる構成としてもよい。この場合、無線ＩＣチップに返し針のような引っ掛かる部分を形成しておくことがより好ましい。
【００９０】
さらに、上記のような注意を逸らす手段や囮付着手段で無線ＩＣチップの付着を気付かせないようにするだけでなく、無線ＩＣチップ自体を気付かないような外観、即ち、カモフラージュすることも好ましい。
【００９１】
無線ＩＣチップ１のカモフラージュとしては、下記（１）〜（３）の少なくとも１つであることが好ましい。
（１）無線ＩＣチップの周囲に砂・土状のもの５を付着させて砂・土・泥等にカモフラージュする手段（図３の（Ａ）参照）
（２）植毛６して種子等にカモフラージュする手段（図３の（Ｂ）参照）
（３）繊維７を付着させて繊維・布等にカモフラージュする手段（図３の（Ｃ）参照）
【００９２】
上記無線ＩＣチップを検知・識別・追跡する装置としては公知のものを特別の制限なく採用できる。
【００９３】
上記説明した侵入者に付着した無線ＩＣチップは、侵入者が逃走した後、該無線ＩＣチップを検知・識別・追跡する装置によって検知・識別・追跡され、逃走した侵入者を確保するための情報となる。
【００９４】
逃走する侵入者に付着した無線ＩＣチップを検知・識別・追跡する装置は、侵入領域（建物）から送られた侵入者情報（付着した無線ＩＣチップ情報、侵入者画像）に基づいて、検知・識別・追跡することとなる。
【００９５】
当該装置の配設場所としては、公衆が出入りする場所又は立ち寄る場所であり、具体的には下記（１）〜（１４）等が挙げられる。
（１）鉄道ターミナル内（駅の改札、ホーム等）及び／又は鉄道車両内
（２）バスターミナル内（停留所等）及び／又はバス車両内
（３）タクシーターミナル（タクシー乗り場等）及び／又はタクシー車両内
（４）金融機関内（銀行ＡＴＭ、郵便局ＡＴＭ等）
（５）コンビニエンスストア内（出入り口等）
（６）ファーストフード等の飲食店（出入り口等）
（７）宝くじ売り場
（８）金券ショップ
（９）電話ボックス
（１０）公衆トイレ
（１１）証明写真ボックス
（１２）自動販売機
（１３）信号機付き横断歩道
（１４）有料道路の料金所
【００９６】
侵入者情報は、検知・識別・追跡する装置だけではなく、上記（１）〜（５）に関連する施設や該施設を管轄する担当者等、即ち、警察、鉄道会社、バス会社、タクシー会社、金融機関（銀行、郵便局等）、コンビニエンスストア本部及び店舗等にも送られることが好ましい。
【００９７】
公衆が出入りする場所又は立ち寄る場所に設けられた検知・識別・追跡する装置によって無線ＩＣチップを検知した際、即ち、逃走している侵入者が特定の場所に配設した装置に検知されると、該無線ＩＣチップの付着した侵入者の画像の撮影が行われることが好ましい。
【００９８】
逃走する侵入者の情報（検知した無線ＩＣチップ情報、検知場所、検知時間、撮影した逃走中の侵入者画像等）と、侵入領域（建物）から送られた情報とを照合することで、侵入者の確認が行われる。
【００９９】
侵入者の識別が行われて確認された後、鉄道警察や警察によって侵入者が確保（捕獲・逮捕）が行われる。尚、その場での確保が困難な場合や複数人の侵入者の一部のみの確認であった場合等には、上記（１）及び（２）の場合では、侵入者が使用する切符に情報を入れたり、該切符を降車駅で回収した際に指紋を採取・照合したり、上記（３）及び（５）の場合では、侵入者の使用したお金を回収して指紋を採取・照合したり、上記（４）の場合では、使用したＣＤ機に残った指紋を採取・照合したりすることで、後日の検挙につなげることが可能となる。
【０１００】
侵入者の侵入時に発射されたが侵入者に付着しなかった無線ＩＣチップは、回収されることが好ましいが、回収できなかった無線ＩＣチップや回収自体が困難な場合には、無線ＩＣチップの情報を消去して無害化する必要がある。無線ＩＣチップの情報を消去するには、無線ＩＣチップを発射した領域、即ち、無線ＩＣチップが散逸している領域に高周波を充てたり、或いはデータ削除コマンドを発することで行われることが好ましい。
【０１０１】
無線ＩＣチップの情報消去は、侵入者に付着した分についても同様の手段によって行われることが好ましい。
【０１０２】
更に、無線ＩＣチップの情報消去方法としては、無線ＩＣチップに書き込まれている情報に期限を設定しておき、期限を過ぎるとデータが消去ないしは破壊されるような設定であってもよい。
【０１０３】
以上、本発明に係る侵入者識別追跡方法及び装置について説明したが、本発明は泥棒の如き侵入者の識別追跡という防犯上の利用だけでなく、徘徊老人等の徘徊位置所在確認、刑務所の服役者の逃亡防止、病人の散歩中等における様態の急変による所在位置確認、幼児・子供等の迷子者の所在位置確認等の他の用途にも適用することができる。従って、本発明における侵入者とは、無線ＩＣチップを付着させるエリアを通過する者の意である。
【０１０４】
尚、病人等に適用する場合、心臓ペースメーカー等を使用している場合もあることから、ペースメーカーを避けた位置に無線ＩＣチップを付着させる構成とすることが好ましい。さらにこの場合、検知・識別・追跡する装置についてもペースメーカーを避けた高さに装置を配置して検知・識別・追跡することが好ましい。
【符号の説明】
【０１０５】
１  無線ＩＣチップ
２，３  接地部分
４  土踏まず部分
５  砂・土状のもの
６  植毛
７  繊維
１１，１２，１３  無線ＩＣチップ付着装置
１４  発射ノズル
１５  圧力センサー
【図１】
2010140512.tif 000003
【図２】
2010140512.tif 000004
【図３】
2010140512.tif 000005
【図４】
2010140512.tif 000006